(57)【要約】【課題】原稿画像読取用の光源として発光素子が採用された場合のフレアの発生を確実に防止する。【解決手段】原稿面へ向けて光を照射する光源部材８０は、基板８４と、この基板８４に並設された複数の単位ＬＥＤ８５と、この単位ＬＥＤ８５の端子８５１に電力を供給する電極８４２とを備え、基板８４は、単位ＬＥＤ８５を装着する矩形孔８４１を有し、単位ＬＥＤ８５は、発光面が基板８４の表面側に位置し、かつ、端子８５１が基板８４の裏面側に位置するように矩形孔８４１に嵌挿され、電極８４２は基板８４の裏面側で端子８５１に臨む位置に形成され、これによって端子８５１と電極８４２とが半田付けされることによって形成された半田部８６は、基板８４の裏面側に設けられている。【選択図】図４
2008187262.tif 000002
【特許請求の範囲】
【請求項１】
光源部材から照射される光の原稿面での反射光を撮像素子へ入射することにより原稿面の原稿画像を読み取るように構成された画像読取装置において、
前記光源部材は、基板と、この基板に並設された複数の発光素子と、前記基板に設けられ、かつ、前記発光素子の端子へ電力を供給する電極とを備え、
前記基板は、前記発光素子を装着する貫通孔を有し、
前記発光素子は、発光面が前記基板の表面側に位置し、かつ、前記端子が前記基板の裏面側に位置するように前記貫通孔に嵌挿され、
前記電極は前記基板の裏面側で前記端子に臨む位置に形成され、
前記基板の裏面側には、前記端子と前記電極とが半田付けされることによって形成された半田部が設けられていることを特徴とする画像読取装置。
【請求項２】
前記貫通孔は、多角形状に形成され、前記発光素子は、前記貫通孔の互いに隣り合った２辺に密着可能に形状設定されていることを特徴とする請求項１記載の画像読取装置。
【請求項３】
請求項１または２記載の画像読取装置が読み取った原稿画像の画像情報に基づき所定の画像形成処理を施すように構成された画像形成装置。
【発明の詳細な説明】
【技術分野】
【０００１】
本発明は、光源部材から照射される光の原稿面での反射光を撮像素子へ入射することにより原稿面の原稿画像を読み取るように構成された画像読取装置に関するものであり、特に、フレアの発生を防止することができる画像読取装置およびこの画像読取装置が適用された画像形成装置に関するものである。
【背景技術】
【０００２】
従来、特許文献１に記載されているような、複写機やファクシミリ装置等の画像形成装置に設けられて原稿画像を読み取るために使用される原稿読取装置が知られている。この原稿読取装置は、光源からの光を原稿面に向けて照射し、その反射光をＣＣＤ（ｃｈａｒｇｅ  ｃｏｕｐｌｅｄ  ｄｅｖｉｃｅ）等の光電変換素子に入射することにより当該光電変換素子で電気信号に変換するものである。画像形成装置は、この電気信号に変換された原稿画像の画像情報に基づき所定の画像形成処理を実行する。
【０００３】
前記光源としては、所定の基板上に複数の複数のＬＥＤ（ｌｉｇｈｔ  ｅｍｉｔｔｉｎｇ  ｄｉｏｄｅ：発光素子）が１列で装着された、いわゆるＬＥＤアレイが用いられている。そして、このＬＥＤアレイが線状の光線を原稿面に照射しつつ移動することで原稿面が走査される。
【０００４】
前記ＬＥＤアレイは、単位ＬＥＤが合成樹脂製の細長い基板上に一列に並べられることにより形成されている。基板上には、各ＬＥＤに対応した電極が設けられ、この電極とＬＥＤの端子とが半田付けでボンディングされている。
【０００５】
ところで、このような構成のＬＥＤアレイにあっては、各ＬＥＤから照射された光の原稿面からの反射光が基板の半田付け面等で反射し、この反射光が再度原稿面で乱反射して像のコントラストを下げる現象である、いわゆるフレア（ｆｌａｒｅ）を起こし、結果として正確な画像情報がＣＣＤに入射し得なくなるという不都合が生じる。
【０００６】
かかる不都合を解消するべく、特許文献１の発明においては、ＬＥＤを除く基板上に反射防止膜を貼設することが行われている。こうすることで原稿面からの反射光の内で半田面等に到達したものは、当該反射防止膜に吸収されてしまうため、この部分から再反射することはなく、フレアの生じることが防止される。
【特許文献１】特開平３−２５８１５８号公報
【発明の開示】
【発明が解決しようとする課題】
【０００７】
しかしながら、特許文献１に記載のようなフレアの防止方法にあっては、ＬＥＤの発光部分を除いてその周りに反射防止膜を貼着したり塗布したりすることは極めて困難であり、作業性が悪いことから作業コストが嵩むという問題点を有している。
【０００８】
また、たとえ反射防止膜をＬＥＤの回りに形成させても、上方へ膨出した半田面までも完全に反射防止膜で覆ってしまうことは極めて困難であり、結果として半田面に起因にしたフレアの発生を確実に阻止することができないという問題点も存在する。
【０００９】
本発明は、かかる従来の問題点を解消するためになされたものであり、原稿画像読取用の光源として発光素子が採用されることを前提とし、フレアの発生を確実に防止することが可能な画像読取装置およびこの画像読取装置が適用された画像形成装置を提供することを目的としている。
【課題を解決するための手段】
【００１０】
請求項１記載の発明（画像読取装置）は、光源部材から照射される光の原稿面での反射光を撮像素子へ入射することにより原稿面の原稿画像を読み取るように構成された画像読取装置において、前記光源部材は、基板と、この基板に並設された複数の発光素子と、前記基板に設けられ、かつ、前記発光素子の端子へ電力を供給する電極とを備え、前記基板は、前記発光素子を装着する貫通孔を有し、前記発光素子は、発光面が前記基板の表面側に位置し、かつ、前記端子が前記基板の裏面側に位置するように前記貫通孔に嵌挿され、前記電極は前記基板の裏面側で前記端子に臨む位置に形成され、前記基板の裏面側には、前記端子と前記電極とが半田付けされることによって形成された半田部が設けられていることを特徴とするものである。
【００１１】
かかる構成によれば、基板の電極と発光素子の端子とを電気的に導通状態とする半田部は、発光素子が基板の貫通孔に嵌挿された状態における基板の裏面側に形成されているため、発光素子から照射された光の反射光が半田部に到達することがなく、従って、半田部での反射光に起因したフレアの発生が防止される。
【００１２】
請求項２記載の発明（画像読取装置）は、請求項１記載の発明において、前記貫通孔は、多角形状に形成され、前記発光素子は、前記貫通孔の互いに隣り合った２辺に密着可能に形状設定されていることを特徴とするものである。
【００１３】
かかる構成によれば、発光素子の基板への実装時に、発光素子を貫通孔の隣り合った２辺に押し当てるという簡単な操作で発光素子は基板上で簡単に位置決めされ、これによって発光素子の基板に対する実装作業の作業性が向上する。
【００１４】
請求項３記載の発明（画像形成装置）は、請求項１または２記載の画像読取装置が読み取った原稿画像の画像情報に基づき所定の画像形成処理を施すように構成されたことを特徴とするものである。
【００１５】
かかる構成によれば、画像形成装置は、請求項１または２記載の画像読取装置が備えた作用効果を享受し得るものになる。
【発明の効果】
【００１６】
本発明に係る画像読取装置によれば、基板の電極と発光素子の端子とを電気的に導通状態とする半田部が基板の裏面側に形成されているため、発光素子から照射された光の反射光が半田部に到達することを防止することができる。従って、半田部での反射光に起因したフレアの発生を防止することができ、読み取られた画像のコントラストがぼやけたり、かぶりが生じるような不都合の発生を防止することができ、常に鮮明な画像形成に寄与することができる。
【００１７】
本発明に係る画像形成装置によれば、当該画像形成装置を本発明に係る画像読取装置が備えた作用効果を享受し得るものにすることができる。
【発明を実施するための最良の形態】
【００１８】
まず、本発明に係る画像読取装置が適用された画像形成装置について説明する。図１は、本発明に係る画像読取装置が適用された画像形成装置の一実施形態の概要を示す説明図である。なお、図１においてＹ−Ｙ方向を前後方向といい、特に−Ｙ方向を前方、＋Ｙ方向を後方という。図１に示すように、画像形成装置１０は、複写機として使用されるものであり、胴内排紙型と称される箱形を呈した装置本体１１と、この装置本体１１の上部に設けられた、原稿画像を読み取る画像読取部１６とを備えている。本発明に係る画像読取装置としての光学系ユニット２０は、画像読取部１６内に装着されている。
【００１９】
前記装置本体１１には、画像読取部１６の光学系ユニット２０によって読み取られた原稿の画像情報に基づき画像を形成する画像形成部１２と、この画像形成部１２によって形成され、用紙に転写された画像に定着処理を施す定着部１３と、転写用の用紙を貯留する用紙貯留部１４とが内装されている。装置本体１１の頂部には、排出された定着処理後の用紙Ｐを受ける胴内排紙トレイ１５１を備えた排紙部１５が設けられている。
【００２０】
前記画像読取部１６は、上面にコンタクトガラス３１を備えた光学系ユニット２０を内装する外装カバー１６０を有し、この外装カバー１６０には、コンタクトガラス３１上に載置された原稿を押さえるための原稿マットを備えた原稿押さえ部材１６１が開閉自在に設けられている。かかる原稿押さえ部材１６１は、外装カバー１６０の上面左方位置（オペレータが操作する位置から見て奥側）に一対で設けられた蝶板部材１６２（図２）の蝶板軸回りに正逆回動可能とされ、コンタクトガラス３１の上面を閉止した閉止姿勢Ｔ１と、コンタクトガラス３１の上面を開放した開放姿勢Ｔ２との間で姿勢変更することができる。
【００２１】
そして、かかる原稿押さえ部材１６１の基端側（蝶板部材１６２が設けられている側）と対向した外装カバー１６０の上面の適所には、原稿押さえ部材１６１が閉じられた状態で、当該原稿押さえ部材１６１が閉止姿勢Ｔ１に姿勢設定されたことを検出する開閉センサ１６３が設けられ、この開閉センサ１６３がオンになることで原稿押さえ部材１６１が閉止姿勢Ｔ１に姿勢設定されたことが検出される一方、開閉センサ１６３がオフになることで原稿押さえ部材１６１が開放姿勢Ｔ２に姿勢設定されたことが検出される。
【００２２】
そして、光学系ユニット２０は、コンタクトガラス３１上に載置された原稿が原稿押さえ部材１６１によって押さえられた状態で、下方からコンタクトガラス３１を介して原稿画像を読み取るものである。画像読取部１６で読み取られた原稿の画像情報は、所定の処理が施された上で画像形成部１２へ向けて出力される。
【００２３】
前記外装カバー１６０の適所には、原稿読み取りや複写処理等に関する処理条件を入力操作するための図略の操作パネル１７が設けられているとともに、この操作パネル１７に隣接して出力手段としてのＬＣＤ（Ｌｉｑｕｉｄ  ｃｒｙｓｔａｌ  ｄｉｓｐｌａｙ）１８が設けられている。前記操作パネル１７には、電源スイッチ１７１や原稿の読み取り動作を開始させるスタートキー１７２、さらには一旦設定した原稿の読み取り動作をキャンセルするキャンセルキー１７３や、省エネルギーモードを選択する省エネモード選択キー１７４、これらに加えて用紙Ｐへの転写枚数などを入力するためのテンキー１７５等が設けられ、これらのスイッチやキーの操作で画像形成処理が実行される。前記ＬＣＤ１８には、画像形成処理に関する各種のコメントや制御結果等が表示出力される。
【００２４】
前記省エネモード選択キー１７４が押釦されると、保安電力のみを残して電源がオフされ、これによって画像形成装置１０が稼働されていないときに無駄な電力が消費されるのを防止する。省エネルギーモードが設定された状態でもう１度省エネモード選択キー１７４を押釦すると、省エネルギーモードが解消されて通常のモードに戻る。
【００２５】
前記画像形成部１２は、用紙貯留部１４から給紙された用紙にトナー画像を形成させるものであり、本実施形態では、上流側（図１の紙面の後側）から下流側へ向けて順次配設されたマゼンタ用ユニット１２Ｍと、シアン用ユニット１２Ｃと、イエロー用ユニット１２Ｙと、ブラック用ユニット１２Ｋとが備えられている。
【００２６】
各ユニット１２Ｍ，１２Ｃ，１２Ｙ，１２Ｋには、感光体ドラム１２１および現像装置１２２がそれぞれ備えられている。各感光体ドラム１２１は、図１において反時計方向へ向けて回転しつつ対応した現像装置１２２からトナーの供給を受けてトナー像を形成する。各現像装置１２２には、装置本体１１の右面側（図１の紙面の表側）に配設された図略のトナーカートリッジからトナーが補給される。
【００２７】
各感光体ドラム１２１の直下位置には帯電器１２３がそれぞれ設けられているとともに、各帯電器１２３のさらに下方位置には露光装置１２４が設けられている。そして、各感光体ドラム１２１は、前記帯電器１２３によって周面が一様に帯電され、画像読取部１６で読み取られた画像データに基づく各色に対応したレーザー光が前記各露光装置１２４から帯電後の感光体ドラム１２１の周面に照射されることにより、各感光体ドラム１２１の周面に静電潜像が形成される。かかる静電潜像に現像装置１２２からトナーが供給されることにより、感光体ドラム１２１の周面にトナー像が形成される。
【００２８】
感光体ドラム１２１の上方位置には、当該各感光体ドラム１２１に当接するように駆動ローラ１２５ａおよび従動ローラ１２５ｂ間に張設された転写ベルト１２５が設けられている。この転写ベルト１２５は、各感光体ドラム１２１に対応して設けられた転写ローラ１２５ｃによって感光体ドラム１２１の周面に押し付けられた状態で各感光体ドラム１２１と同期しながら駆動ローラと従動ローラとの間を周回する。
【００２９】
従って、転写ベルト１２５が周回することによりその表面に対しマゼンタ用ユニット１２Ｍの感光体ドラム１２１によるマゼンタのトナー像の転写が行なわれ、ついで転写ベルト１２５の同一位置にシアン用ユニット１２Ｃの感光体ドラム１２１によるシアンのトナー像の転写が重ね塗り状態で行なわれ、ついで転写ベルト１２５の同一位置にイエロー用ユニット１２Ｙの感光体ドラム１２１によるイエローのトナー像の転写が重ね塗り状態で行なわれ、最後のブラック用ユニット１２Ｋの感光体ドラム１２１によるブラックのトナー像の転写が重ね塗り状態で行なわれ、これによって転写ベルト１２５の表面にカラーのトナー像が形成される。この転写ベルト１２５の表面に形成されたカラーのトナー像が用紙貯留部１４から搬送されてきた用紙Ｐに転写されることになる。
【００３０】
そして、各感光体ドラム１２１の図１における前方位置には当該感光体ドラム１２１の周面の残留トナーを除去して清浄化するクリーニング装置１２６が設けられている。クリーニング装置１２６によって清浄化処理された感光体ドラム１２１の周面は、新たな帯電処理のために帯電器１２３へ向かうことになる。
【００３１】
クリーニング装置１２６で感光体ドラム１２１の周面から取り除かれた廃トナーは、所定の経路を通って図略のトナー回収ボトルに回収され、貯留される。
【００３２】
画像形成部１２の図１における前方位置には、上下方向に延びる用紙搬送路１１１が形成されている。この用紙搬送路１１１には、適所に搬送ローラ対１１２が設けられ、用紙貯留部１４からの用紙がこの搬送ローラ対１１２の駆動で駆動ローラ１２５ａに掛け回されている転写ベルト１２５へ向けて搬送される。かかる用紙搬送路１１１には、駆動ローラ１２５ａと対向した位置に転写ベルト１２５の表面と当接した第２転写ローラ１１３が設けられ、用紙搬送路１１１を搬送されつつある用紙Ｐが転写ベルト１２５と第２転写ローラ１１３とに押圧挟持されることによって転写ベルト１２５上のトナー像が当該用紙Ｐに転写される。
【００３３】
そして、転写ベルト１２５の図１における後端部には、当該転写ベルト１２５の表面に残留した残留トナーを除去する図略の転写ベルト用クリーニング装置が設けられ、用紙Ｐへの転写処理が完了した転写ベルト１２５は、表面の残留トナーがこの転写ベルト用クリーニング装置によって取り除かれ清浄化された状態で次の転写処理へ向けて周回される。
【００３４】
前記定着部１３は、画像形成部１２で転写された用紙上のトナー像に対し定着処理を施すものであり、内部に加熱源である通電発熱体を備えた定着ローラ１３１と、図１における前方でこの定着ローラ１３１と対向配置された加圧ローラ１３２とを備えている。そして、第２転写ローラ１１３を介して画像形成部１２から導出された転写処理済の用紙Ｐは、これら定着ローラ１３１および加圧ローラ１３２間に押圧挟持されつつ定着ローラ１３１により加熱される熱処理でトナー画像が定着され、用紙上に安定した状態のカラー画像が形成される。
【００３５】
定着処理の完了したカラー印刷済みの用紙Ｐは、定着部１３の上部から延設された排紙搬送路１１４を通って装置本体１１に設けられた胴内排紙トレイ１５１へ向けて排出されることになる。
【００３６】
前記用紙貯留部１４は、装置本体１１における露光装置１２４の下方位置に挿脱自在に装着された用紙トレイ１４１を有している。用紙トレイ１４１には用紙束が貯留されるようになっている。そして、用紙トレイ１４１に貯留された用紙束からピックアップローラ１４２の駆動で用紙Ｐが１枚ずつ繰り出され、用紙搬送路１１１を通って画像形成部１２へ導入される。
【００３７】
以下、図２を基に必要に応じて図１を参照しながら光学系ユニット２０について説明する。図２は、光学系ユニット２０の一実施形態を示す一部切欠き斜視図である。なお、図２においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００３８】
図２に示すように、前記光学系ユニット２０は、箱形を呈した筐体３０と、この筐体３０に図１における前後方向に向けて正逆移動可能に内装され、かつ、原稿面に光を照射してその反射光を得る読取ユニット５０と、この読取ユニット５０からの反射光を集光して画像データとして取り込むＣＣＤユニット４０とを備えている。
【００３９】
前記筐体３０は、画像読取部１６の外装カバー１６０に収納され得るように外観形状が設定されている。かかる筐体３０の上面中央部には、矩形状を呈した大きな開口が設けられ、この開口に原稿を載置するためのコンタクトガラス３１が嵌め込まれている。このコンタクトガラス３１は、光学系ユニット２０が外装カバー１６０内に装着された状態で当該外装カバー１６０の上面に設けられた開口に臨むように設置位置が設定されている。
【００４０】
前記読取ユニット５０は、図１における前端部から若干後方に寄った位置（ホームポジション）を起点として後方に向けて往動することによりコンタクトガラス３１上に載置された原稿の原稿面を走査し、走査が完了した後に復動してホームポジションに戻るように構成されている。かかる読取ユニット５０は、原稿面に向けて光を照射する光源ユニット６０と、この光源ユニット６０からの光の原稿面での反射光を光路に沿うように反射させてＣＣＤユニット４０へ導くミラーユニット７０と、このミラーユニット７０に装着された光源部材８０とを備えている。
【００４１】
前記光源ユニット６０は、前後方向に向けて正逆走行する左右方向に長尺の第１走査枠体６１と、この第１走査枠体６１に支持された、当該第１走査枠体６１の走行方向と直交する水平方向（すなわち左右方向）に向けて長尺の光源部材８０と、この光源部材８０から照射された光の原稿画面からの反射光を前方に向けて反射させる第１ミラー６２とを備えている。
【００４２】
前記光源部材８０は、所定のフレームに発光ダイオード（ＬＥＤ（ｌｉｇｈｔ  ｅｍｉｔｔｉｎｇ  ｄｉｏｄｅ））からなる単位ＬＥＤ（発光素子）８５の複数個が並設されることによって形成されている。かかる複数の単位ＬＥＤ８５が一斉に発光されることにより各単位ＬＥＤ８５から照射された光がコンタクトガラス３１を介して原稿Ｐ１の原稿面で反射される。この反射光は、第１ミラー６２で反射されて前方のミラーユニット７０へ向かう。
【００４３】
前記ミラーユニット７０は、光源ユニット６０の前方に設けられ、前後方向に向けて正逆走行する第２走査枠体７１と、この第２走査枠体７１に支持された第２ミラー７２および第３ミラー７３とを備えている。前記第２走査枠体７１は、図２に示すように、左右方向に長尺に形成され、上端位置が光源ユニット６０の上端位置と略同一レベルに設定されている。これに対し第２走査枠体７１の下端位置は、前記ＣＣＤユニット４０との間の位置的な関係で（すなわち、第３ミラー７３をＣＣＤユニット４０と対向させる必要があることから）光源ユニット６０の下端位置より下方に突出されている。
【００４４】
前記第２ミラー７２は、前記第１ミラー６２が反射した光を下方に向けて反射するとともに、前記第３ミラー７３は、第２ミラー７２の下方で第２ミラー７２と対向配置され当該第２ミラー７２が反射した光を後方のＣＣＤユニット４０に向けて反射する。
【００４５】
そして、第３ミラー７３が反射した光は、ＣＣＤユニット４０に入射され、ここで光の信号が電気信号に変換された上で電気信号のアナログ量が画像情報としてのディジタル量に変換される。
【００４６】
前記光源ユニット６０とミラーユニット７０とは、図略の駆動モータや所定のプーリー間に張設された走行ワイヤ等を有する走査枠体駆動機構５１の駆動によって互いに連係しながら異なる移動速度で移動するようになっている。具体的には、光源ユニット６０は、ミラーユニット７０の２倍の速度で移動し、読取ユニット５０が図１に実線で示すホームポジションに位置している状態でも、図１に二点鎖線で示す任意の位置に移動した状態でも、第１ミラー６２から第２ミラー７２および第３ミラー７３を介してＣＣＤユニット４０へ到達する光路の距離は一定になり、これによって読取ユニット５０がいずれの位置に位置した状態でも原稿面からの反射光が同一条件でＣＣＤユニット４０へ入射される。
【００４７】
前記ＣＣＤユニット４０は、複数枚のレンズが組み合わされて形成したレンズユニット４１と、このレンズユニット４１の後方位置に対向配置されたイメージセンサとして機能するＣＣＤ（ｃｈａｒｇｅ  ｃｏｕｐｌｅｄ  ｄｅｖｉｃｅ）４２とを備えて構成されている。前記レンズユニット４１は、光源部材８０からの光の反射光を集光してＣＣＤ４２に結像させるためのものであり、前記ＣＣＤ４２は、レンズユニット４１から入射された光の強弱をディジタル量としての電気信号に変換するものである。
【００４８】
そして、ＣＣＤ４２でディジタル量に変換された原稿の画像情報は、一旦所定の記憶装置に記憶された後、前記画像形成部１２の露光装置１２４へ向けて出力され、露光装置１２４は、このディジタル情報に基づき感光体ドラム１２１へ向けて原稿画像に対応した強弱を有する光を照射する。
【００４９】
図３は、光源部材８０の一実施形態を示す斜視図である。なお、図３におけるＸおよびＹによる方向表示は、図２の場合と同様（Ｘは左右方向（−Ｘ：左方、＋Ｘ：右方）、Ｙは前後方向（−Ｙ：前方、＋Ｙ：後方））である。
【００５０】
図３に示すように、光源部材８０は、前記第１走査枠体６１に固定される左右方向に長尺のベースプレート８１と、このベースプレート８１の上面にネジ止め等で固定されるミドルプレート８２と、このミドルプレート８２の上面にネジ止め等で固定される一対のアッパープレート８３と、各アッパープレート８３の上面に直列状態でネジ止め等によりそれぞれ固定される複数の基板８４と、各基板８４に直列状態で装着される複数の単位ＬＥＤ（ｌｉｇｈｔ  ｅｍｉｔｔｉｎｇ  ｄｉｏｄｅ）８５とを備えている。これら複数の単位ＬＥＤ８５によってＬＥＤアレイが形成されている。
【００５１】
このように、光源部材８０がベースプレート８１、ミドルプレート８２、アッパープレート８３および基板８４により５層構造にされるのは、ベースプレート８１の仕様を変更せずに光源の種類（例えば蛍光灯やハロゲンランプ等）に応じて当該ベースプレート８１を対応させ、その汎用性を確保するためである。本発明では、光源として単位ＬＥＤ８５が採用されているため、当該単位ＬＥＤ８５をベースプレート８１に装着するべく、単位ＬＥＤ８５の装着に関して固有の部材であるミドルプレート８２、アッパープレート８３および基板８４が採用されている。
【００５２】
前記ベースプレート８１は、左右方向一対の脚部８１１と、これら一対の脚部８１１の上縁部間に架設された平板部８１２とを備えている。前記各脚部８１１が第１走査枠体６１の適所にネジ止めされることによりベースプレート８１が光源ユニット６０に装着される。かかるベースプレート８１は、左右長が第１走査枠体６１の左右長より僅かに短めに設定され、これによって前記コンタクトガラス３１の左右長に対応している。
【００５３】
前記ミドルプレート８２は、左右長がベースプレート８１の平板部８１２の左右長より若干短めに設定されているとともに、前後幅寸法が平板部８１２のそれより若干短めに設定されている。かかるミドルプレート８２には、前後方向の中央部に左右方向へ延びるように穿設された長孔８２１が設けられている。ミドルプレート８２には、この長孔８２１を境として前側に前方基板装着部８２２が形成されているとともに、同後側に後方基板装着部８２３が形成されている。
【００５４】
前記各アッパープレート８３は、前後幅寸法が前後の基板装着部８２２，８２３の前後幅寸法と略同一に設定されているとともに、左右の長さ寸法が前記長孔８２１の長さ寸法と略同一に設定されている。
【００５５】
このような各アッパープレート８３の上面にそれぞれ複数の基板８４が直列状態で固定されている。基板８４は、左右長が前記アッパープレート８３の略１／３に設定されているとともに、前後幅寸法がアッパープレート８３の前後の基板装着部８２２，８２３の前後幅寸法と略同一に設定されている。
【００５６】
本実施形態においては、前後の基板装着部８２２，８２３にそれぞれ３枚の基板８４が装着されている。前方基板装着部８２２に装着されている各基板８４には、それぞれ６つの単位ＬＥＤ８５が直列に等ピッチで配設され、これによって前方基板装着部８２２には、合計で１８個の単位ＬＥＤ８５が等ピッチで設けられている。
【００５７】
これに対し、後方基板装着部８２３には、６つの単位ＬＥＤ８５を有する２枚の基板８４に５つの単位ＬＥＤ８５を有する基板８４が挟まれた状態で各基板８４が装着され、合計で１７個の単位ＬＥＤ８５が設けられている。
【００５８】
そして、前方基板装着部８２２上の各単位ＬＥＤ８５と、後方基板装着部８２３上の各単位ＬＥＤ８５とは、単位ＬＥＤ８５の設置ピッチの半分の距離だけずれるように互いに千鳥状に配設されている。こうすることで光源部材８０の長手方向における各単位ＬＥＤ８５から照射された光の強度の均一性を確保することができる。
【００５９】
図４は、図３に示す複数の基板８４の内の１つを取り出して示した斜視図であり、図４（Ａ）は表面側から見た図、図４（Ｂ）は裏面側から見た図である。なお、図４におけるＸおよびＹによる方向表示は図３の場合と同様（Ｘは左右方向（−Ｘ：左方、＋Ｘ：右方）、Ｙは前後方向（−Ｙ：前方、＋Ｙ：後方））である。
【００６０】
前記基板８４は、硬質の合成樹脂材料によって細長い矩形状に形成され、その適所には、図４に示すように、長手方向の全長に亘って等ピッチで複数（図４に示す例では６つ）の矩形孔（貫通孔）８４１が貫設されている。これらの矩形孔８４１のそれぞれに直方体状を呈した単位ＬＥＤ８５が嵌め込まれて半田付けされることにより単位ＬＥＤ８５が基板８４に装着される。基板８４の厚み寸法は、単位ＬＥＤ８５の厚み寸法と略同一に設定されている。
【００６１】
前記矩形孔８４１は、平面視の形状が単位ＬＥＤ８５の平面視の形状より若干大きめに設定され、これによって単位ＬＥＤ８５を矩形孔８４１へ遊嵌することができる。そして、単位ＬＥＤ８５は、矩形孔８４１における互いに隣り合った２辺（本実施形態においては左方の辺と前方の辺）に密着され、この状態で半田付けによるボンディング処理が施される。こうすることで各単位ＬＥＤ８５の基板８４に対する確実な位置決めが実現する。
【００６２】
前記単位ＬＥＤ８５には、その裏面側の互いに対向した稜線位置に、当該稜線の全長に亘って延びる一対の端子８５１が形成されている。一方、前記基板８４の裏面側には、各矩形孔８４１の左右方向の互いに対向した縁部にそれぞれ電極８４２が形成されている。これらの電極８４２は、基板８４がアッパープレート８３に固定された状態で、適所に設けられた電源からの電力が供給されるようになされており、そのための配線等が基板８４上に設けられているが、これについての説明は省略する。
【００６３】
そして、単位ＬＥＤ８５が矩形孔８４１へ前記の位置決め状態で嵌挿された状態で、各電極８４２と端子８５１との間に半田付けによるボンディング処理に基づいた半田部８６が形成され、これによって単位ＬＥＤ８５が基板８４に実装されている。
【００６４】
図５は、図４（Ａ）のＶ−Ｖ線拡大断面図である。図５に示すように、単位ＬＥＤ８５が基板８４の矩形孔８４１に実装された状態では、単位ＬＥＤ８５の発光面８５２から照射された光の原稿Ｐ１からの反射光は、基板８４の裏面側に形成された半田部８６に到達することがないか、あるいは、たとえ到達しても、単位ＬＥＤ８５と矩形孔８４１の縁面との間の隙間内の壁面で乱反射して原稿Ｐ１へ向かわなくなっている。従って、単位ＬＥＤ８５の発光面８５２から照射された光の原稿Ｐ１からの反射光が半田部８６でさらに反射してフレア現象を起こすような不都合の発生が防止される。
【００６５】
以上詳述したように、本発明に係る画像読取装置としての光学系ユニット２０は、光源部材８０から照射される光の原稿面での反射光を撮像素子へ入射することにより原稿Ｐ１の画像を読み取るように構成されたものであり、光源部材８０は、基板８４と、この基板８４に並設された複数の単位ＬＥＤ８５と、この単位ＬＥＤ８５の端子８５１に電力を供給する電極８４２とを備え、基板８４は、単位ＬＥＤ８５を装着する矩形孔８４１を有し、単位ＬＥＤ８５は、発光面８５２が基板８４の表面側に位置し、かつ、端子８５１が基板８４の裏面側に位置するように矩形孔８４１に嵌挿され、電極８４２は基板８４の裏面側で端子８５１に臨む位置に形成されている。すなわち、端子８５１と電極８４２とが半田付けされることによって形成された半田部８６は、基板８４の裏面側に設けられている。
【００６６】
従って、単位ＬＥＤ８５から照射された光の反射光が半田部８６に到達することがなく、これにより半田部８６での反射光に起因したフレアの発生が防止されため、読み取られた原稿画像のコントラストがぼやけたり、かぶりが生じるような不都合の発生を防止することができ、常に鮮明な画像形成に寄与することができる。
【００６７】
また、単位ＬＥＤ８５は、矩形孔８４１の互いに隣り合った２辺に密着された状態で矩形孔８４１に装着されているため、単位ＬＥＤ８５の基板８４への実装時に、単位ＬＥＤ８５を矩形孔８４１の隣り合った２辺に押し当てるという簡単な操作で単位ＬＥＤ８５は基板８４において簡単に位置決めされ、これによって単位ＬＥＤ８５の基板８４に対する実装作業の作業性を向上させることができる。
【００６８】
本発明は上記の実施形態に限定されるものではなく、以下の内容をも包含するものである。
【００６９】
（１）上記の実施形態においては、光学系ユニット２０が適用される画像形成装置１０として複写機を例に挙げて説明したが、本発明は、画像形成装置１０が複写機であることに限定されるものではなく、ファクシミリ装置であってもよい。
【００７０】
（２）上記の実施形態においては、単位ＬＥＤ８５が２列で光源部材８０に設けられているが、２列であることに限定されるものではなく、１列であってもよいし、３列以上であってもよい。
【００７１】
（３）上記の実施形態においては、単位ＬＥＤ８５が平面視で矩形状を呈していることから、これに合わせるべく基板８４に単位ＬＥＤ８５を嵌挿するための貫通孔として矩形孔８４１が採用されているが、貫通孔が矩形孔８４１であることに限定されるものではなく、単位ＬＥＤ８５の形状に合わせて各種の形状にすることができる。
【実施例１】
【００７２】
本発明の効果を確認するべく、矩形孔８４１に単位ＬＥＤ８５が嵌挿された基板８４において、当該基板８４の裏側に半田部８６を形成させたもの（実施例）と、基板の表側に半田部を形成させたもの（比較例）とを用意した。
【００７３】
ついで、上記実施例に係る基板８４を光源ユニット６０のベースプレート８１に装着した状態で、当該基板８４に装着されている複数の単位ＬＥＤ８５からコンタクトガラス３１上に載置された白紙の原稿Ｐ１に向けて光を照射した。そして、この光の原稿面からの反射光をＣＣＤ４２へ導いて電気信号に変換し、この電気信号に基づき反射光の強弱を測定した。
【００７４】
引き続き、半田部が表面側に形成されている比較例の基板を用いて実施例の場合と同様の測定を行った。これらの測定結果をグラフ化したのが図６である。なお、図６において、横軸に光源部材８０の左端を起点として右方へ向かう長さ（主走査位置）を設定し、縦軸に反射光の強度を設定している。
【００７５】
図６に示すように、実施例の場合は、反射光の強度は光源部材８０の全長に亘って略一定になっているのに対し、比較例の場合、所定の周期で反射光の強度が増減しているのが判る。
【００７６】
このように、基板８４の裏面側に半田部８６を形成した方が、基板８４の表面側に半田部８６を形成した場合に比較し、フレア現象に起因した像のコントラストの低下や、かぶり現象の発生を抑制し得ることを実証することができた。
【図面の簡単な説明】
【００７７】
【図１】本発明に係る画像読取装置が適用された画像形成装置の一実施形態の概要を示す説明図である。
【図２】光学系ユニットの一実施形態を示す一部切欠き斜視図である。
【図３】光源部材の一実施形態を示す斜視図である。
【図４】図３に示す複数の基板の内の１つを取り出して示した斜視図であり、（Ａ）は表面側から見た図、（Ｂ）は裏面側から見た図である。
【図５】図４（Ａ）のＶ−Ｖ線拡大断面図である。
【図６】実施例および比較例における白紙原稿の反射光の強度を示すグラフである。
【符号の説明】
【００７８】
１０  画像形成装置          １１  装置本体
１１１  用紙搬送路          １１２  搬送ローラ対
１１３  転写ローラ          １１４  排紙搬送路
１２  画像形成部            １２Ｋ  ブラック用ユニット
１２Ｙ  イエロー用ユニット  １２Ｃ  シアン用ユニット
１２Ｍ  マゼンタ用ユニット  １２１  感光体ドラム
１２２  現像装置            １２３  帯電器
１２４  露光装置            １２５  転写ベルト
１２５ａ  駆動ローラ        １２５ｂ  従動ローラ
１２５ｃ  転写ローラ        １２６  クリーニング装置
１３  定着部                １３１  定着ローラ
１３２  加圧ローラ          １４  用紙貯留部
１４１  用紙トレイ          １４２  ピックアップローラ
１５  排紙部                １５１  胴内排紙トレイ
１６  画像読取部            １６０  外装カバー
１６１  部材                １６２  蝶板部材
１６３  開閉センサ          １７  操作パネル
１７１  電源スイッチ        １７２  スタートキー
１７３  キャンセルキー      １７４  省エネモード選択キー
１７５  テンキー            １８  ＬＣＤ
２０  光学系ユニット        ３０  筐体
３１  コンタクトガラス      ４１  レンズユニット
４２  ＣＣＤ                ５０  読取ユニット
５１  走査枠体駆動機構      ６０  光源ユニット
６１  第１走査枠体          ６２  第１ミラー
７０  ミラーユニット        ７１  第２走査枠体
７２  第２ミラー            ７３  第３ミラー
８０  光源部材              ８１  ベースプレート
８１１  脚部                ８１２  平板部
８２  ミドルプレート        ８２１  長孔
８２２  前方基板装着部      ８２３  後方基板装着部
８３  アッパープレート      ８４  基板
８４１  矩形孔（貫通孔）    ８４２  電極
８５  単位ＬＥＤ（発光素子）
８５１  端子                ８５２  発光面
８６  半田部                Ｐ  用紙
Ｐ１  原稿                  Ｔ１  閉止姿勢
Ｔ２  開放姿勢
【図１】
2008187262.tif 000003
【図２】
2008187262.tif 000004
【図３】
2008187262.tif 000005
【図４】
2008187262.tif 000006
【図５】
2008187262.tif 000007
【図６】
2008187262.tif 000008